(57)【特許請求の範囲】
【請求項１】
消費財のための容器であって、
箱前壁と、箱後壁と、箱底壁と、第１の箱側壁と、第２の箱側壁とを含む箱と、
蓋前壁と、蓋後壁と、蓋上壁と、第１の蓋側壁と、第２の蓋側壁とを含む蓋であって、
該蓋が、該蓋後壁と前記箱後壁の間に延びる第１のヒンジ線に沿って前記箱にヒンジ止めされ、容器の上部が、該蓋によって開くことができる蓋と、
ハッチ側壁とハッチ底壁とを含むハッチであって、該ハッチが、前記第１の箱側壁にわたって延びる第２のヒンジ線に沿って前記箱にヒンジ止めされている、前記ハッチと、を含み、
容器の底部と側部が、該ハッチによって開くことができ、
該ハッチ側壁は、ハッチ側部外側パネルとハッチ側部内側パネルとを備え、前記ハッチ側部外側パネルの表面積は、前記ハッチ側部内側パネルの表面積よりも小さく、
前記ハッチ底壁は、ハッチ底部外側パネルとハッチ底部内側パネルとを備え、前記ハッチ底部内側パネルの表面積は、前記ハッチ底部外側パネルの表面積より小さく、前記ハッチ底部内側パネルは、前記ハッチ側部内側パネルからヒンジ線を介して垂れていることを特徴とする容器。
【請求項２】
前記蓋は、容器の切断線によって形成され、前記ハッチは、容器の脆弱線によって形成されることを特徴とする請求項１に記載の容器。
【請求項３】
前記ハッチは、ハッチ前壁を更に含み、
前記ハッチ前壁は、前記箱前壁及びハッチ後壁に取外し可能に接続され、
前記ハッチ後壁は、前記箱後壁に取外し可能に接続される、
ことを特徴とする請求項１から請求項２のいずれか１項に記載の容器。
【請求項４】
前記箱底壁又は第１の箱側壁は、前記ハッチの壁に隣接した切り欠き部を含むことを特徴とする請求項１から請求項３のいずれか１項に記載の容器。
【請求項５】
前記ハッチは、該ハッチが閉じている時に前記箱の縁部に当接する閉鎖縁部を含み、
前記ハッチは、更に、該ハッチが閉じている時に前記閉鎖縁部を超えて前記箱の中に延びる保持フラップを含む、
ことを特徴とする請求項１から請求項４のいずれか１項に記載の容器。
【発明の詳細な説明】
【技術分野】
【０００１】
本発明は、消費財のための新しいヒンジ蓋容器に関する。容器は、シガレットのような細長い喫煙物品のための容器として特定用途を見出す。
【背景技術】
【０００２】
細長い喫煙物品及び他の消費財を折り畳まれた薄層ブランク材から形成した容器に包装することは公知である。例えば、シガレット及びシガーのような細長い喫煙物品は、一般的に、喫煙物品を収容するための箱と、容器の後壁にわたって延びるヒンジ線の周りに箱に接続された蓋とを有するヒンジ蓋パックに入れて販売される。そのようなパックは、典型的には、単体の薄層厚紙ブランク材から構成される。使用において、蓋は、ヒンジ線の周りにピボット回転してパックを開き、従って、箱に保持された喫煙物品へのアクセスが得られる。
【０００３】
従来、所定の口側端部を有するフィルタシガレット及び他の喫煙物品は、それらの口側端部を上向きして包装される。喫煙物品は、喫煙物品の口側端部を把持することによってパックの上部開口部を通して取り出すことができる。しかし、一部の消費者は、口側端部に接触しないことを好む場合がある。
【先行技術文献】
【特許文献】
【０００４】
【特許文献１】ＵＳ−Ａ−４，７１４，０８２
【特許文献２】ＵＳ−Ａ−５，６９２，５２５
【発明の概要】
【発明が解決しようとする課題】
【０００５】
消費者が容器内に収容された消費財にアクセスするための付加的な方法を提供する消費財のための容器を提供することが望ましいであろう。
【課題を解決するための手段】
【０００６】
本発明により、箱を含む消費財のための容器が提供され、箱は、箱前壁、箱後壁、箱底壁、第１の箱側壁、及び第２の箱側壁を含む。容器は、更に、蓋前壁、蓋後壁、蓋上壁、第１の蓋側壁、及び第２の蓋側壁を含む蓋を含む。蓋は、蓋によって容器の上部が開放可能なように蓋後壁と箱後壁の間に延びる第１のヒンジ線に沿って箱にヒンジ止めされる。容器は、更に、ハッチ側壁及びハッチ底壁を含むハッチを有する。ハッチは、容器の底部がハッチによって開放可能なように第１の箱側壁又は箱底壁のいずれかにわたって延びる第２のヒンジ線に沿って箱にヒンジ止めされる。ハッチの少なくとも一方の壁は、材料の２つの層、すなわち、外側層及び内側層を含み、外側層の面積は、内側層よりも小さい。
【０００７】
蓋とハッチの具備は、箱の上端又は下端のいずれかを通る２つの異なる方法で本発明による容器から消費財を取り出すことを可能にする。
【０００８】
用語「ハッチ」は、容器内の追加開口部のカバーを意味する。消費財は、ハッチを通して容器から取り出すことができる。
【０００９】
本発明による容器の構成要素の相対位置を説明するのに使用される用語「前部」、「後部」、「上側」、「下側」、「側部」、「上部」、「底部」、及び他の用語は、蓋が上端、ハッチが下端、及び第１のヒンジ線が後部にある状態で直立した位置にある容器を意味する。ハッチに関しては、これは、ハッチ底壁が容器の底部に位置し、ハッチ側壁が容器の側壁に位置することを意味する。
【００１０】
用語「左」及び「右」は、容器の側壁を基準にして容器を直立した位置で前面から見た時に使用される。用語「縦方向」は、底部から上部又はその反対の方向を意味する。用語「横方向」は、縦方向に対して直角な方向を意味する。
【００１１】
用語「ヒンジ線」は、容器を開くために蓋又はハッチがその周りでピボット回転することができる線を意味する。ヒンジ線は、例えば、容器の壁を形成するパネル内の折り畳み線又は切り込み線とすることができる。代替的に、ヒンジ線は、蓋又はハッチの壁を箱の対応する壁に接続する１片の材料の折り畳み線又は切り込み線とすることができる。そのような１片の材料は、例えば、蓋の後壁及び箱の後壁に取り付けられたラベルとすることができる。好ましくは、第２のヒンジ線は、容器の縦方向縁部と垂直である。
【００１２】
有利な態様では、本発明による容器は、容器の下端を通して喫煙物品を取り出すオプションを提供する。この場合、消費者は、ロッド端部で、換言すれば、口側端部の反対側の喫煙物品の端部で喫煙物品を把持することになる。
【００１３】
喫煙物品のロッド端部にアクセスするハッチの具備はまた、１つ又はそれよりも多くの水分放出要素又は１つ又はそれよりも多くの香味放出要素の容器内への挿入も可能にする。喫煙の前にタバコに水分又は香味料を注ぎ込むために容器内にそのような要素を挿入することが望ましいことがある。要素をフィルタではなくタバコロッドに隣接して位置決めすることができるように、フィルタ端部ではなく喫煙物品のロッド端部に要素を挿入することができることが有利である。
【００１４】
好ましくは、蓋は、容器内の切断線によって形成される。ハッチは、容器内の脆弱線で形成することができる。容器には、従って、ヒンジ線のみに沿って箱に接続された蓋が設けられる一方、ハッチは、脆弱線が壊れない限りかつそれまで箱と一体である。消費者は、従って、ハッチを開かないままにしておくオプションを有する。脆弱線は、好ましくは、ハッチを開くために容易に壊すことができる穿孔の線である。穿孔の線が壊された状態で、穿孔された縁部間の増加した摩擦は、ハッチをその閉鎖位置に保持することを助ける。
【００１５】
上述のように、ハッチの少なくとも一方の壁は、材料の２つの層を含む。２つの層は、例えば、容器の組み立てにおいて互いに取り付けられた内側壁と外側壁によって形成される。
【００１６】
好ましくは、ハッチは、箱前壁に取外し可能に接続されたハッチ前壁と、箱後壁に取外し可能に接続されたハッチ後壁とを更に含む。これは、ハッチの構造的強度を有利に改善する。
【００１７】
好ましくは、容器の箱には、ハッチの壁の一方に隣接して切り欠き部分が設けられる。それによってハッチの開放、特にハッチが脆弱線に沿って箱から分離する必要があるその最初の開放が容易になる。
【００１８】
好ましくは、ハッチは、ハッチが閉じる時に箱の縁部に当接する閉鎖縁部を含む。好ましくは、ハッチは、ハッチが閉じる時に閉鎖縁部を超えて箱内に延びる保持フラップを更に含む。それによってハッチが初めて開いた後に、ハッチの閉鎖位置における保持が有利に改善される。
【００１９】
本発明による容器は、好ましくは、単一の厚紙ブランク材から形成される。有利な態様では、箱のハッチ部を形成するために設けられた付加的な折り畳み線又は穿孔線を含む標準のヒンジ蓋パックのブランク材を使用することができる。これは、いずれの有意な修正もすることなく、既存の機械及び方法を使用して本発明による容器を製造することができることを意味する。
【００２０】
好ましくは、容器は、更に、箱内に装着された内側フレームを含み、内側フレームは、容器の箱の少なくとも前壁の上縁の上方に延びている。内側フレームは、従って、蓋が開いている時に消費者に見える。内側フレームの前壁には、箱の前壁上に印刷された印しと同一の又は異なる印しを印刷することができる。代替的に又は追加的に、内側フレームの前壁は、例えば、消費財の商標を反射させるように独特の形状に切断することができる。
【００２１】
好ましくは、内側フレームの前壁には、その上縁に切り欠き部分が設けられる。それによって内側フレームの前壁の表面積を有意に低減することなく、容器内の消費財により有利にアクセス可能である。
【００２２】
内側フレームの代替として又は追加的に、容器内の消費財は、容器が開いている時に箱の前壁及び内側フレームの前壁（存在する場合）の上縁の上方に可視である内側ライナを用いて包むことができる。
【００２３】
本発明による容器は、直角縦方向及び直角横方向縁部を含む直方体の形状とすることができる。代替的に、容器は、１つ又はそれよりも多くの丸形縦方向縁部、丸形横方向縁部、傾斜付き縦方向縁部、又は傾斜付き横方向縁部、又はその組合せを含むことができる。例えば、本発明による容器は、以下に限定されるものではないが、
・前壁上に１つ又は２つの縦方向丸形又は傾斜付き縁部及び／又は後壁上に１つ又は２つの縦方向丸形又は傾斜付き縁部、
・前壁上に１つ又は２つの横方向丸形又は傾斜付き縁部及び／又は後壁上に１つ又は２つの横方向丸形又は傾斜付き縁部、
・前壁上に１つの縦方向丸形縁部及び１つの縦方向傾斜付き縁部及び／又は後壁上に１つの横方向丸形縁部及び１つの横方向傾斜付き縁部、
・前壁上に１つ又は２つの横方向丸形又は傾斜付き縁部及び前壁上に１つ又は２つの縦方向丸形又は傾斜付き縁部、
・第１の側壁上に２つの縦方向丸形又は傾斜付き縁部又は第２の側壁上に２つの横方向丸形又は傾斜付き縁部、
を含むことができる。
【００２４】
容器が１つ又はそれよりも多くの丸形縁部を含み、それが薄層ブランク材から作られる場合、好ましくは、ブランク材は、組み立てられた容器内に丸形縁部を形成するために３つ、４つ、５つ、６つ、又は７つの切り込み線又は折り畳み線を含む。切り込み線又は折り畳み線は、容器の内側又は容器の外側のいずれかとすることができる。好ましくは、切り込み線又は折り畳み線は、約０．３ｍｍと４ｍｍの間だけ互いに離間している。
【００２５】
好ましくは、折り畳み線又は切り込み線の間隔は、薄層ブランク材の厚みの関数である。好ましくは、折り畳み線又は切り込み線の間の間隔は、薄層ブランク材の厚みの約０．５と約４倍の間である。
【００２６】
容器が１つ又はそれよりも多くの傾斜付き縁部を含む場合、好ましくは、傾斜付き縁部は、それぞれ、約１ｍｍと約１０ｍｍの間、好ましくは、約２ｍｍと約６ｍｍの間の幅を有する。代替的に、容器は、２つの別々の傾斜付き面が容器の縁部上に形成されるように離間した３つの平行な折り畳み又は切り込み線によって形成された２重傾斜付き面を含むことができる。
【００２７】
代替的に、容器は、例えば、三角形又は六角形のような多角形、又は長円形、半長円形、円形、又は半円形の非矩形横断面を有することができる。
【００２８】
容器が１つ又はそれよりも多くの傾斜付き縁部を含み、それが薄層ブランク材から作られる場合、傾斜付き面は、薄層ブランク材の２つの平行な折り畳み線又は切り込み線によって形成することができる。折り畳み線又は切り込み線は、第１の壁と第２の壁の間の縁部に対して対称に配置することができる。代替的に、折り畳み線又は切り込み線は、傾斜付き面が、容器の第２の壁の中よりも容器の第１の壁の中により深く到達するように、第１の壁と第２の壁の間の縁部に対して非対称に配置することができる。
【００２９】
容器は、以下に限定されるものではないが、厚紙、板紙、プラスチック、金属、又はその組合せを含むあらゆる適切な材料から形成することができる。好ましくは、厚紙は、平方メートル当たり約１００ｇと平方メートル当たり約３５０ｇの間の重量を有する。
【００３０】
本発明による容器は、様々な消費財のためのパッケージとして使用することができる。特に好ましい実施形態では、本発明による容器は、喫煙物品を包装するのに使用される。本発明による容器は、以下に限定されるものではないが、従来型着火端部シガレット、シガー又はシガリロ、可燃性燃料要素又は熱源及びエーロゾル発生基体を含む加熱式喫煙物品（例えば、ＵＳ−Ａ−４，７１４，０８２に開示する種類のシガレット）、及び電気式喫煙システムと共に使用するための喫煙物品（例えば、ＵＳ−Ａ−５，６９２，５２５に開示する種類のシガレット）を含む喫煙物品を包装するのに有利に使用することができる。
【００３１】
その寸法の適切な選択を通して、本発明による容器は、異なる総数の喫煙物品、又は異なる配置の喫煙物品を保持するように設計することができる。例えば、その寸法の適切な選択を通して、本発明による容器は、総数が１０と３０の間の喫煙物品を保持するように設計することができる。
【００３２】
本発明による容器は、２つ、３つ、４つ、又は５つの別々の束の消費財を保持することができる。別々の束は、前壁に対して及び後壁に対して実質的に平行に、又は前壁に対して及び後壁に対して実質的に垂直に配置することができる。
【００３３】
喫煙物品は、喫煙物品の総数、喫煙物品の寸法、又は容器の断面形状次第で異なる丁合の束に配置することができる。例えば、喫煙物品は、５、６、７、８、９、又は１０の１つの列の束に配置することができる。代替的に、喫煙物品は、２又は３列に配置することができる。この２又は３列は、同一数の喫煙物品を収容することができる。例えば、喫煙物品は、５、６、７、８、９、又は１０の２列に、６、７、８、９、又は１０の３列に、又は４、５、又は６の４列に配置することができる。代替的に、２つ又はそれよりも多くの列は、互いに対して異なる数の喫煙物品を収容する少なくとも２つの列を含むことができる。例えば、喫煙物品は、５の列と６の列（５−６）、６の列と７の列（６−７）、７の列と８の列（７−８）、５の真ん中の列と６の外側２列（６−５−６）、５の真ん中の列と７の外側２列（７−５−７）、６の真ん中の列と５の外側２列（５−６−５）、６の真ん中の列と７の外側２列（７−６−７）、７の真ん中の列と６の外側２列（６−７−６）、９の真ん中の列と８の外側２列（８−９−８）、又は６の真ん中の列と５の１つの外側列及び７の１つの外側列（５−６−７）に配置することができる。
【００３４】
本発明による容器は、同一種類又は銘柄の又は異なる種類又は銘柄の喫煙物品を保持することができる。更に、長さが異なる喫煙物品（例えば、約４０ｍｍと約１８０ｍｍの間）、直径が異なる喫煙物品（例えば、約４ｍｍと約９ｍｍの間）ばかりでなく、フィルタなし喫煙物品及び様々なフィルタチップを含む喫煙物品の両方を収容することができる。更に、喫煙物品は、風味の強度、吸引抵抗、及び全粒子物質送出量が異なる場合がある。容器が１つよりも多くの束を含む場合、同一容器内の各束は、上に列挙したように同一の又は異なる種類の喫煙物品を保持することができる。
【００３５】
好ましくは、容器の外法寸法は、喫煙物品の長さ及び喫煙物品の丁合に適合させることができる。典型的には、容器の寸法は、約０．５ｍｍから約５ｍｍの間であり、容器内に収容された喫煙物品の束の寸法よりも大きい。
【００３６】
好ましくは、本発明による容器は、約６０ｍｍと約１５０ｍｍの間の高さ、より好ましくは、約７０ｍｍと約１２５ｍｍの間の高さを有し、この高さは、容器の上壁から底壁まで測定される。
【００３７】
好ましくは、本発明による容器は、約１２ｍｍと約１５０ｍｍの間の幅、より好ましくは、約７０ｍｍと約１２５ｍｍの間の幅を有し、この幅は、容器の第１の側壁から第２の側壁まで測定される。
【００３８】
好ましくは、本発明による容器は、約６ｍｍと約１００ｍｍの間の深さ、より好ましくは、約１２ｍｍと約２５ｍｍの間の深さを有し、この深さは、容器（箱と蓋の間にヒンジを含む）の前壁から後壁まで測定される。
【００３９】
好ましくは、容器の深さに対する容器の高さの比率は、約０．３対１と約１０対１の間、より好ましくは、約２対１と約８対１の間、最も好ましくは、約３対１と５対１の間である。
【００４０】
好ましくは、容器の深さに対する容器の幅の比率は、約０．３対１と約１０対１の間、より好ましくは、約２対１と約８対１の間、最も好ましくは、約２対１と３対１の間である。
【００４１】
好ましくは、箱後壁の高さに対する蓋後壁の高さの比率は、約０対１（ヒンジが容器の上縁に設けられる）から約１対１の間、より好ましくは、約１対５と約１対１０の間、最も好ましくは、約１対６から約１対８の間である。
【００４２】
好ましくは、箱前壁の高さに対する蓋前壁の高さの比率は、約１対１０（蓋が前壁全体を覆う）から約１対１０の間、より好ましくは、約１対１と約１対５の間、最も好ましくは、約１対２と約１対３の間である。
【００４３】
本発明による容器の外面は、製造業者又は銘柄ロゴ、商標、スローガン、及び他の消費者情報及び印しを用いて印刷、エンボス、デボス、又はその他の方法で装飾することができる。代替的に又は追加的に、本発明による容器の外面は、ラッカー、金属化、ホログラム、蛍光性材料、又は容器の触感、香り、又は外観を変えるいずれかの他の材料を用いて少なくとも部分的に覆うことができる。
【００４４】
本発明による容器の内側ハウジングが１つ又はそれよりも多くの喫煙物品の束を収容する場合、喫煙物品は、好ましくは、例えば、金属箔又は金属化紙の内側ライナに包まれる。
【００４５】
容器が喫煙物品を含む場合、容器は、更に、廃棄のための仕切り（例えば、灰又は吸い殻のための）、又はマッチ、ライター、消火手段、呼気フレッシュナのような他の消費財を含むことができる。他の消費財は、容器の外側に取り付けることができ、容器の別の仕切り内に喫煙物品と共に容器内に収容することができ、又はその組合せとすることができる。
【００４６】
充填された状態で、本発明による容器は、高密度又は低密度ポリエチレン、ポリプロピレン、配向ポリプロピレン、塩化ポリビニリデン、セルロースフィルムのような透明なポリマーフィルム、又はその組合せを用いて、従来の方法で収縮包装又はその他の方法で上包装することができる。本発明による容器が上包装される場合、その上包装紙は、開封テープを含むことができる。開封テープは、好ましくは、開封テープが取り外された状態で蓋が第１のヒンジ線周りに自由にピボット回転するように、蓋前壁の下縁の下に容器周りに位置決めされる。代替的に又は追加的に、開封テープが取り外された状態でハッチが第２のヒンジ線周りに自由に回転するように、ハッチ上部の容器周りに第２の開封テープを位置決めすることができる。代替的に、開封テープは、容器周りに長さ方向に設けることができる。
【００４７】
本発明はまた、上述のように喫煙物品を充填した容器を含む喫煙物品の容器を提供する。
【００４８】
本発明は、添付図面を参照して単に一例として以下に更に説明する。
【図面の簡単な説明】
【００４９】
【図１】開放位置のハッチを有する本発明による容器の第１の実施形態を示す図である。
【図１ａ】図１の円で囲んだ領域の拡大図である。
【図２】図１の容器を形成するための厚紙薄層ブランク材を示す図である。
【図３】開放位置のハッチを有する本発明による容器の第２の実施形態を示す図である。
【発明を実施するための形態】
【００５０】
図１に示すヒンジ蓋容器２は、直方体であり、箱４と、実質的に容器２の後壁１０に沿って横方向に延びるヒンジ線８に沿って箱４にヒンジ止めされた蓋６とを含む。シガレット１２の束は、容器２の箱４に収容される。容器２の箱４と蓋６の全体的サイズ及び構成は、標準的なヒンジ蓋パックのものと実質的に同一である。
【００５１】
箱４は、前壁１４、第１の左側壁１６、第２の右側壁１８、後壁２０、及び底壁２２を有する。図１は、容器を背面から示し、従って、左側壁１６が容器の右側面に示され、その逆も同様である。箱４の上部側面は、それを通してシガレット１２を取り出すことができる上部開口部を提供するために開放している。
【００５２】
蓋６は、前壁２４、第１の左側壁２６、第２の右側壁２８、後壁３０、及び上壁３２を有する。容器２が閉じている時に、蓋６の壁の自由縁部が、当接線に沿って箱４の壁の自由縁部に当接する。閉じている位置では、蓋６の壁は、従って、箱４の対応する壁の延長部を形成して容器２の壁を形成する。
【００５３】
容器２の箱４は、左側壁１６の下側部分から形成されたハッチ側壁３６と、底壁２２の左側部分から形成されたハッチ底壁３８とを有するハッチ３４を含む。ハッチ３４は、上方方向にほぼ２分の１にわたって箱４の左側壁１６に延びる折り畳み線４０に関してピボット回転可能である。ハッチ３４は、その左側面から底壁２２にわたってほぼ３分の１延びている。
【００５４】
ハッチ３４は、それが最初に開かれる前では、容器２が従来のシガレットパックと実質的に同じに見えるように箱４の左側壁１６及び底壁２２と一体である。ヒンジ線４０に一致する縁部を除く全側面上には、ハッチ３４の縁部周りに穿孔の線が設けられる。最初にハッチ３４を開放するために、穿孔の線が破られるべきである。ハッチ３４の開放を容易にするために、ハッチ底壁３８の端部に隣接して半円形切り欠き部４２が底壁２２に設けられる。
【００５５】
図１は、ハッチ３４が開いている容器２を示している。箱４の残り部分からハッチ３４を分離することにより箱４の底部左側コーナに下部開口部が作り出され、それによって箱４内に収容されたシガレット１２を取り出すことができる。下部開口部を再度閉じるために、ハッチ３４をその開始位置まで戻すことができる。
【００５６】
図１ａに示す拡大領域１０２に示すように、ハッチ側壁３６は、外側パネル３６ａ及び内側パネル３６ｂを含む。ハッチ側壁３６の内側パネル３６ｂ及び外側パネル３６ａの自由縁部に沿った穿孔は、内側パネル３６ｂの小区画が外側パネル３６ａを超えて斜めに延びるように、外側パネル３６ａの表面積が内側パネル３６ｂよりも僅かに小さいようなものである。同時に、外側パネル３６ａの薄いストリップ４４が、箱後壁１０及び箱前壁１４の縁部から外側パネル３６ａに向けて延びている。ハッチ３４を再度閉じるために、ハッチ側壁３６は、外側パネル３６ａを超えて延びる内側パネル３６ｂの小区画がストリップ４４の背後にロックして閉鎖位置に保持されるように、その最初の位置に圧入される。
【００５７】
代替的に、蓋６は、箱４の上部開口部を通してシガレットにアクセスするために開くことができる。
【００５８】
容器２は、図２に示す１つの厚紙ブランク材２００を使用して生成される。図２で使用される参照番号は、図１で使用されたものに対応しており、従って、ブランク材の各パネルは、組み立てられた容器内でそのパネルによって形成された壁、フラップ、又はタブを参照するのに使用された参照番号でラベル付けされている。ブランク材は、従って、箱前面パネル１４、箱底面パネル２２、及び箱背面パネル１０を含む。それは、更に、前面パネル１４から垂れる箱外側左側面パネル１６ａと、箱背面パネル１０から垂れる箱内側左側パネル１６ｂとを含む。
【００５９】
組み立てられた容器２では、箱外側左側面パネル１６ａは、箱内側左側パネル１６ｂと重なって箱左側壁１６を形成する。それは、更に、前面パネル１４から垂れる箱外側右側面パネル１８ａと、箱背面パネル１０から垂れる箱内側右側パネル１８ｂとを更に含む。組み立てられた容器２では、箱外側右側面パネル１８ａは、箱内側右側パネル１８ｂと重なって箱右側壁１８を形成する。
【００６０】
ブランク材は、組み立てられた容器２の箱底面パネル２２の内側に取り付けられた箱内側右側面パネル１８ｂから垂れる箱ダストフラップ４６を更に含む。蓋は、同様に、蓋背面パネル３０、蓋上面パネル３２、蓋前面パネル２４、蓋内側左側パネル２６ｂ、蓋外側左側面パネル２６ａ、左蓋ダストフラップ４８、蓋内側右側側面パネル２８ｂ、蓋外側右側面パネル２８ａ、及び右蓋ダストフラップ５０から形成される。追加フラップ５２は、蓋前壁２４から延び、かつ内向きに１８０度折り畳まれ、蓋前壁２４の下縁に折り畳み線を形成する。
【００６１】
箱後壁１０の下部左側コーナには、ハッチ３４のパネルが配置される。穿孔の線は、太線で表示されている。ハッチ内側側面パネル３６ｂから垂れるハッチダストフラップ５４は、組み立てられた容器２のハッチ底面パネル３８に取り付けられる。図１の容器の実施形態では、ハッチダストフラップ５４の表面積は、それがハッチ底面パネル３８を超えて突出しないようにハッチ底面パネル３８よりも小さい。ハッチ外側側面パネル３６ａは、図１ａを参照して上述したように、ハッチ内側側面パネル３６の上に重なる。
【００６２】
容器２を形成するために、ブランク材２００が、シガレットの周りに組み立てられ、組み立てられた容器２は、次に、透明フィルムで上包装される。これらの段階は、従来の方法及び機械を使用して行うことができる。
【００６３】
図３に示すヒンジ蓋容器３０２は、全体構成が図１に示す容器２と類似である。容器３００のハッチ３３４は、ハッチ前壁（図示せず）とハッチ後壁３０４を更に含む。図３では、ハッチダストフラップ３５４の表面積は、それがハッチ底面パネル３８を超えて突出するようにハッチ底面パネル３８よりも大きい。この区画は、箱底壁の下で容器３０２内に容易に滑り込み、穿孔線が破れた状態でハッチ３３４をその閉鎖位置に保持する。
【符号の説明】
【００６４】
２  消費財のための容器
８  第１のヒンジ線
１２  消費財
１６  第１の箱側壁
２０  箱後壁
２２  箱底壁
３０  蓋後壁
３４  ハッチ
３６  ハッチの少なくとも一方の壁
【図１】
0005638012.tif 000002
【図１ａ】
0005638012.tif 000003
【図２】
0005638012.tif 000004
【図３】
0005638012.tif 000005